(57)【要約】      （修正有）【課題】浴槽内の温水をマット内部に流すことによりマットの上面全体を均一に隅々まで加温することができ、また、温水の循環・浄化を効率的に行うことができ、さらに、温水を浄化するための装置をコンパクトにできる浴室内洗い場加温設備を提供する。【解決手段】マット３内の放熱用流路５が、マットの上壁３ｐと底壁との間の内部空間を仕切る仕切り部材４により形成され、かつ、仕切り部材４が、マット３内部の一方の側壁３ａから他方の側壁３ｂまで延びるように、いずれかの側壁との間に温水の流通する間隙３ｃを設けて、互い違いに形成し、ポンプ８のケーシング内流路に温水浄化用フィルター８ａを内蔵して、マット３内部の下流側の戻し流路５ａに接続された浴槽内へ温水を戻す下流側配管７に介装する。【選択図】図２
2005257254.tif 000002
【特許請求の範囲】
【請求項１】
浴室内で浴槽に隣接した洗い場の床面に敷設されるマットと、前記マットの内部に設けられた放熱用流路と、前記浴槽内の温水を前記放熱用流路に沿い流通させてから前記浴槽内へ戻すポンプとを備えた浴室内洗い場加温設備において、前記放熱用流路が、前記マットの上壁と底壁との間の内部空間を仕切る仕切り部材により形成され、かつ、前記仕切り部材が、前記マット内部の一方の側壁から他方の側壁まで延びるように、いずれかの前記側壁との間に温水の流通する間隙を設けて、互い違いに形成されるとともに、前記ポンプが、前記ポンプのケーシング内流路に温水浄化用フィルターを内蔵するようにして、前記マット内部の下流側の戻し流路に接続された前記浴槽内へ温水を戻す下流側配管に介装されていることを特徴とする浴室内洗い場加温設備。
【請求項２】
前記マット内部の上流側の放熱用流路に接続された上流側配管の先端部に前記浴槽内の温水の吸込口が設けられ、前記吸込口にフィルターが設けられていることを特徴とする請求項１に記載の浴室内洗い場加温設備。
【請求項３】
前記マット内部の上流側の放熱用流路に接続されて前記浴槽内の温水を前記上流側の放熱用流路へ供給する上流側配管と、前記マット内部の下流側の戻し流路に接続されて前記浴槽内へ温水を戻す下流側配管とが、互いに隣接しながら並行して設けられていることを特徴とする請求項１又は２に記載の浴室内洗い場加温設備。
【発明の詳細な説明】
【技術分野】
【０００１】
本発明は、浴室内で浴槽に隣接した洗い場の床面が、冬期には冷え込んで不快感を与えるのを防止するための浴室内洗い場加温設備に関する。
【背景技術】
【０００２】
従来の浴室内洗い場加温設備として、洗い場の床面に敷設されるマットと、前記マットの内部に設けられた放熱用流路と、前記浴槽内の温水を前記放熱用流路に沿い流通させてから前記浴槽内へ戻すポンプとを備えた浴室内洗い場加温設備は公知である（例えば、特許文献１〜特許文献３参照）。
【特許文献１】特開昭６２−９８１２９号公報
【特許文献２】実願平２−９１９３３号（実開平４−４８８８１）のマイクロフィルム
【特許文献３】実願昭６２−４５０７６号（実開昭６３−１５２４８８）のマイクロフィルム
【０００３】
特許文献１には、「樹脂性風呂マット内に昇温ホースを内蔵させ、それにお風呂のお湯を通して、風呂マット自体を昇温させると共に、お風呂の内部をも昇温する事を目的とする昇温ホースを内蔵する樹脂性風呂マット。」（特許請求の範囲）が記載されているが、マット内の昇温ホースを通されるお湯（温水）は、昇温ホースの管壁とマット材とを介してマット上面を加温することになるので、マット上面が均一に加温されず、また、熱効率の低下を招くという問題があった。
また、「水中ポンプ（４）を入りホース（５）の先端に設ける」（第二図）ものであるため、温水を循環させるための効率が良くないという問題があった。
【０００４】
特許文献２には、「風呂の洗場等に用いられる水切り用溝を有するプラスチック製簀の子において、上記簀の子本体を中空体とし、上記中空部を風呂湯が循環するようにしたことを特徴とする保温簀の子。」（実用新案登録請求の範囲）が記載され、「この中空体の中には適宜、仕切部１４が設けられており、更にこの仕切部には湯（温水）を通すための通路１５が、互い違いの位置に設けられている。」（第４頁下から第５行〜第２行）ことが記載されているが、簀の子で本質的に水切り用溝を有するものであるから、そもそも上面全体が均一に加温されるものではない。
また、簀の子に湯（温水）を通すための通路１５が仕切部１４の中間の位置に設けられているために、温水が隅々にまで循環し難く均一に加温されないという問題があった。
さらに、「風呂桶から湯（温水）を取入れるための取入用ホース３、上記ホースと簀の子本体の取入口１１との間に設けられたポンプ２、簀の子本体１、簀の子本体の出口１２に取り付けられた湯（温水）リターン用のリターンホース４、とからなる。」（第４頁第５行〜第１０行）ものであり、ポンプ２が取入用ホース３側（上流側配管）に設けられているため、温水を循環させるための効率が良くないという問題があった。
【０００５】
特許文献３には、「（１）浴場の床に敷くマット内に水路を形成して、循環手段をもって、浴槽内の温湯がマット内を通過するように、温湯を循環させてなる、浴場の床の暖房装置。」（実用新案登録請求の範囲第１項）が記載され、「１は床上に敷かれた合成樹脂製非吸水性の中空マットで、図面右側端には配湯管２が、また左側端には集湯管３が内設され、両管２、３の対向面には、多数の通水孔４が穿設されている。」（第３頁末行〜第４頁第４行）ものであり、仕切り部材を設けるものではなく、通水孔（放熱用流路）の構造も本発明とは異なるものである。
また、「配湯管２の一端は、可撓性の給湯管５をもって、浴槽６の前縁右部に直脱自在に装着した、ポンプ７の吐水口に接続され、ポンプ７の吸水口に接続した可撓管８の下部は、浴槽６に貯留した水９内に没入している。」（第４頁第７行〜第１１行）ものであり、ポンプ７が、可撓管８側（上流側配管）に設けられているため、温湯（温水）を循環させるための効率が良くないという問題があった。
【０００６】
また、浴室内洗い場加温設備（マット）ではないが、仕切り部材を設けて温水を循環させる方法も公知である（特許文献４参照）。
【特許文献４】特開平１１−１２３１４８号公報
【０００７】
特許文献４には、「各温湯層を形成している各容器内に、例えば下部敷台１の容器内に図８に示すように仕切板６を設けて温湯の流通路を形成すると、温湯が矢印の方向に容器の全体を温めながら流通するので好ましく」（段落［００２１］）と記載されているが、上記容器を「浴槽の底及び側壁に敷き置」（特許請求の範囲）くものであるから、温湯（温水）を循環させてマットを温めるものではなく、仕切板６（仕切り部材）の設け方も本発明とは異なる。
【０００８】
そして、上記特許文献１〜４のいずれにも、マットに循環させた温水を浄化して浴槽内に戻すことは示されていない。
【０００９】
一方、浴槽内の温水を浄化して循環させることは周知である（例えば、特許文献５〜９参照）。
【特許文献５】特開２００１−１６９９４２号公報
【特許文献６】特開平７−３２８６０５号公報
【特許文献７】特開平１０−１８５３３０号公報
【特許文献８】特開平７−３２８３４３号公報
【特許文献９】特開２００１−１６２２６８号公報
【００１０】
特許文献５〜８の発明は、浴槽内の温水を浄化してからポンプにより浴槽内へ戻すものであるが、特許文献５の発明においては、循環手段４（ポンプ）は上流側、浄化手段３（フィルター）は下流側の全く別の箇所にあり、特許文献６の発明においては、循環ポンプ１４は上流側、フィルタ１６は下流側の全く別の箇所にあり、特許文献７の発明においては、循環ポンプ５は上流側、濾過層６、活性炭フィルター９は下流側の全く別の箇所にあり、特許文献８の発明においては、循環ポンプ２１は上流側、濾過装置２４は下流側で全く別の箇所にあり、いずれの発明においても、ポンプが上流側にあるため温水の循環が効率的ではなく、また、フィルターがポンプと離れた位置にあるため、装置をコンパクトにできないという問題があった。
【００１１】
特許文献９には、浴槽内の風呂水を浄化する活性炭カセットが記載されているが、活性炭２３を具備する活性炭カセットは、洗濯機に内蔵されたポンプ２５とは別体のものであり、また、活性炭カセットを浴槽内の風呂水に水没させてポンプを駆動することにより、汚れが除去された風呂水を洗濯槽に供給するものであるから、浴槽内の温水を浄化してからポンプにより浴槽内へ戻すものとは全く異なる技術である。
【発明の開示】
【発明が解決しようとする課題】
【００１２】
本発明は、上記のような問題点を解決しようとするものであり、浴槽内の温水をマット内部に流すことによりマットの上面全体を均一に隅々まで加温することができ、また、温水の循環・浄化を効率的に行うことができ、さらに、温水を浄化するための装置をコンパクトにできる浴室内洗い場加温設備を提供することを課題とする。
【課題を解決するための手段】
【００１３】
上記課題を解決するするために、本発明は以下の手段を採用する。
（１）浴室内で浴槽に隣接した洗い場の床面に敷設されるマットと、前記マットの内部に設けられた放熱用流路と、前記浴槽内の温水を前記放熱用流路に沿い流通させてから前記浴槽内へ戻すポンプとを備えた浴室内洗い場加温設備において、前記放熱用流路が、前記マットの上壁と底壁との間の内部空間を仕切る仕切り部材により形成され、かつ、前記仕切り部材が、前記マット内部の一方の側壁から他方の側壁まで延びるように、いずれかの前記側壁との間に温水の流通する間隙を設けて、互い違いに形成されるとともに、前記ポンプが、前記ポンプのケーシング内流路に温水浄化用フィルターを内蔵するようにして、前記マット内部の下流側の戻し流路に接続された前記浴槽内へ温水を戻す下流側配管に介装されていることを特徴とする浴室内洗い場加温設備である。
（２）前記マット内部の上流側の放熱用流路に接続された上流側配管の先端部に前記浴槽内の温水の吸込口が設けられ、前記吸込口にフィルターが設けられていることを特徴とする前記（１）の浴室内洗い場加温設備である。
（３）前記マット内部の上流側の放熱用流路に接続されて前記浴槽内の温水を前記上流側の放熱用流路へ供給する上流側配管と、前記マット内部の下流側の戻し流路に接続されて前記浴槽内へ温水を戻す下流側配管とが、互いに隣接しながら並行して設けられていることを特徴とする前記（１）又は（２）の浴室内洗い場加温設備である。
【発明の効果】
【００１４】
本発明の浴室内洗い場加温設備では、マット内部を仕切る仕切り部材を特定の構造として放熱用流路を形成したことにより、マットの上壁全体が、マット内部の隅々まで流通する温水により、常時、直接且つ均一に加温され、浴室内に進入する人の足裏に常に心地よい感触を与えるようになる。
【００１５】
また、浴槽内の温水を循環するポンプが、マット内部の下流側から前記浴槽内へ温水を戻す下流側配管に介装されているので、サイフォン効果を利用して、効率よく温水を循環させることができ、ポンプを動かすためのエネルギーを節約できる。
【００１６】
さらに、温水浄化用フィルターをポンプのケーシング内流路に内蔵するようにしているので、浄水器を別途設ける必要がなく、コンパクトな構造で能率よく浴槽内の温水の浄化を行うことができる。
上流側配管の先端部にある温水の吸込口にフィルターが設けられている場合には、より温水の浄化を確実にできる。
【００１７】
前記浴槽内の温水を前記マット内部の上流側へ供給する上流側配管と、前記マット内部の下流側から前記浴槽内へ温水を戻す下流側配管とが、互いに隣接しながら並行して設けられている場合には、配管が浴槽の一端部にまとめて配設されるため、コンパクトな構成となり、浴室内の見栄えが向上する。
【発明を実施するための最良の形態】
【００１８】
発明を実施するための最良の形態を図面に基づいて、以下説明する。
図１は、本発明の一形態としての浴室内洗い場加温設備を備えた浴室内部を示す斜視図、図２は、図１の設備における浴室内洗い場の床面に敷設されたマット３の上壁３ｐを除去して示す平面図、図３は、上記設備において浴槽内の湯面下に没入される上流側配管の先端部の縦断面図である。
【００１９】
図１に示すように、浴室内で浴槽１に隣接した洗い場の床面２に、プラスチック材又はゴム材で形成された平坦なマット３が、図示しない吸盤又は滑り止め部材を介して敷設されており、マット３の内部には、図２に示すように、マット３の上壁と底壁との間の内部空間を仕切る仕切り部材４により形成された放熱用流路５が設けられている。
【００２０】
仕切り部材４は、マット３内部の一方の側壁３ａから他方の側壁３ｂまで延びるように、いずれかの前記側壁との間に温水の流通する間隙３ｃを設けて、互い違いに形成されている。
仕切り部材４を上記のように構成することにより、温水がマット３の隅々まで流通するから、マット３の平坦な上壁３ｐ全体は、常時、直接且つ均一に加温されるようになる。
したがって、マット内にホースやチューブ等の温水用管路を設けた場合や、温水の流通する間隙を仕切り部材の中間に設けた場合に比べて、マット３の表面全体が均一に加温され、熱効率の向上をもたらすという利点が得られる。
【００２１】
仕切り部材４の材質は、マット３の材質と同じプラスチック材又はゴム材であることが好ましい。
通常の家庭用の浴室内で浴槽に隣接した洗い場の床面に敷設されるマットの大きさであれば、仕切り部材４の数は、２０〜５０枚が好ましい。仕切り部材４の数が、２０枚未満では、ポンプによる温水の吸い込みが弱く、温水が均一にマット３の隅々まで流通し難くなり、仕切り部材４の数が多ければ多いほど温水は、均一にマット３の隅々まで流通するようになるが、設備の作製に手間がかかるため、上限は、図２に示すように、４０〜５０枚程度とすることが好ましい。特に、２０〜３０枚が好ましい。
【００２２】
また、浴槽１内の温水を放熱用流路５に沿って流通させてから浴槽１内へ戻す温水循環系として、図１及び図２に示すように、流路５の上流側と下流側にそれぞれ接続された上流側配管６と下流側配管７とが設けられている。
上流側配管６には、その先端部に浴槽１内の温水の吸込口が設けられており、湯面下に没入した吸込口から吸い込まれた温水は、上流側配管６を通ってマット３内部の上流側の流路５へ供給される。
マット３内部を流通した温水は、マット３内部の下流側の戻し流路５ａから下流側配管７を通って浴槽１内へ戻される。戻し流路５ａは水平方向にまで形成せずに、垂直方向にだけ形成してもよい。
【００２３】
温水を循環させるためのポンプ８は、マット３内部の下流側から浴槽１内へ温水を戻す下流側配管７に介装されており、ポンプ８のケーシング下面に取り付けられた図示しない吸盤を介して浴槽１の縁部に着脱可能に設けられている。
ポンプ８を上記のように下流側配管７に介装することにより、後述の実施例に示すように、マット３内部に温水を効率よく循環させることができる。
【００２４】
ポンプ８は、そのケーシング内流路に温水浄化用フィルター８ａを内蔵している。図１に示すようにポンプ８と温水浄化用フィルター８ａが一体となっているので、従来の装置よりもコンパクトな構造とすることができる。
また、温水浄化用フィルターは活性炭付きフィルターであることが好ましい。このフィルターを設けることにより、浴槽１内の温水は、常に清浄な状態に保たれる。
なお、ポンプ８が電動式ポンプである場合には、そのポンプ８への給電は、浴室内の壁面に設けられた防水方コンセント１０から、ケーブル１１を介して行われる。
【００２５】
浴槽１内の温水に没入した上流側配管６の先端部の吸込口には、図３に示すように毛髪等を除去するためのフィルター９を設けることが好ましい。フィルター９を設けることによって、毛髪等のマット３内への流入が防止できるとともに、ケーシング内流路に内蔵された温水浄化用フィルター８ａの機能と相まって温水の浄化を確実にできる。
【００２６】
また、浴槽１内の温水をマット３内部の上流側へ供給する上流側配管６と、マット３内部の下流側から浴槽１内へ温水を戻す下流側配管７とは、互いに隣接しながら並行して設けることが好ましい。これにより、図１に示すように、上流側配管６及び下流側配管７は浴槽１の一端部にまとめて配設されるようになるから、コンパクトな構成となり、浴室内の見栄えが向上する。
【００２７】
なお、ポンプ８が、下流側配管７に介装されて、浴槽１の縁部に直脱自在に装着されるための吸盤を備えていると、ポンプ８の装着及び本設備の不要な夏期における取外し操作が、著しく簡便化されるようになる利点が得られる。
【実施例】
【００２８】
図２と同様にして、７４．０ｃｍ×５４．５ｃｍの大きさの放熱用流路を有するプラスチック製のマット３内部に、プラスチックの材質からなる長さ５２．０ｃｍ、厚さ３ｍｍの仕切り部材４を互い違いに２５枚設けて、放熱用流路を形成した。仕切り部材４と仕切り部材４の間隔は２４ｍｍとし、仕切り部材４と側壁３ａ又は３ｂとの間の間隙は１５ｍｍとした。放熱用流路の容積は、約１０リットルであった。
なお、戻し流路５ａは、図２のように水平方向にまで形成せず、垂直方向にだけ形成した。
上記のような放熱用流路を有するマットを用い、手動ポンプ８を下流側配管７に介装し、ポンプを押して浴槽１内の温水を吸い込む実験を１０回づつ行ったところ、平均１分３５秒で温水がマットに満たされた。
一方、手動ポンプ８を上流側配管６に介装し、同様にポンプを押して浴槽１内の温水を吸い込む実験を１０回づつ行ったところ、温水をマットに満たすまで平均１分４６秒かかった。
手動ポンプ８に代えて、電動ポンプ８を用いて行っても同様の結果が得られる。
【００２９】
以上の結果からみて、「仕切り部材が、前記マット内部の一方の側壁から他方の側壁まで延びるように、いずれかの前記側壁との間に温水の流通する間隙を設けて、互い違いに形成される」場合には、マット内部に温水を効率よく循環させるためには、「ポンプが、前記マット内部の下流側から前記浴槽内へ温水を戻す下流側配管に介装されている」ことが必要であるといえる。
【図面の簡単な説明】
【００３０】
【図１】本発明の一形態としての浴室内洗い場加温設備を備えた浴室内部を示す斜視図である。
【図２】図１の設備におけるマットの上壁を除去して示す平面図である。
【図３】上記設備において浴槽内の湯面下に没入される上流側配管の先端部の縦断面図である。
【符号の説明】
【００３１】
１    浴槽
２    洗い場床面
３    マット
３ａ  マット内部の一方の側壁
３ｂ  マット内部の他方の側壁
３ｃ  マット内部の側壁３ａ，３ｂと仕切り部材４との間の温水の流通する間隙
３ｐ  マット上壁
４    仕切り部材
５    放熱用流路
５ａ  戻し流路
６    上流側配管
７    下流側配管
８    ポンプ
８ａ  温水浄化用フィルター
９    フィルター
１０  防水型コンセント
１１  ケーブル
【図１】
2005257254.tif 000003
【図２】
2005257254.tif 000004
【図３】
2005257254.tif 000005